(57)【要約】【課題】設置工事が簡単であり、設置費用も低額でありながら、床下、天井裏等における空気の流通を十分に確保できる換気装置を提供する。【解決手段】換気装置１を換気装置本体２と支持部材３とから構成する。換気装置本体２は、少なくとも底面部に空気吸入口１３を形成するとともに、正面部に空気排出口１７を形成した筐体と、筐体内に配設した回転翼体９と、回転翼体を駆動させるモーター１１と、から構成される。支持部材３は、底面板２４の両側辺部に側面板２５，２６を立設し、換気装置本体２を側面板２５，２６に固定できるようにしてある。【選択図】              図１
2004360938.tif 000002
【特許請求の範囲】
【請求項１】
少なくとも底面部に空気吸入口を形成するとともに、正面部に空気排出口を形成した筐体と、この筐体内に配設した回転翼体と、この回転翼体を駆動させるモーターと、から成る換気装置本体と、
底面板の両側辺部に側面板を立設し、前記換気装置本体をこの側面板に固定できるようにした支持部材と、から構成される換気装置。
【請求項２】
前記換気装置本体の筐体に固定する取付部材と、この取付部材に螺着したネジ部を有するハンドルと、から成る固定部材を設けるとともに、前記支持部材の側面板に上下方向に複数の溝部を形成し、
前記筐体に前記取付部材を固定し、前記ハンドルのネジ部を前記側面板に形成した複数の溝部の何れかに挿通し、前記ハンドルを締め付けることによって、前記換気装置本体を前記側面板に高さ位置自在に固定できるようにしたことを特徴とする請求項１に記載の換気装置。
【請求項３】
前記ハンドルを締め付ける前に、前記換気装置本体を適宜角度回動させることによって、前記換気装置本体を前記側面板に傾斜角度自在に固定できるようにしたことを特徴とする請求項２に記載の換気装置。
【請求項４】
光センサーと制御装置とを付設して、天候によって自動的に作動するようにした請求項１乃至３に記載の換気装置。
【発明の詳細な説明】
【０００１】
【発明の属する技術分野】
本発明は、家屋の床下、天井裏等に停滞する湿気を含んだ空気を強制的に排出し、外部から乾燥した空気を自然に流入するようにして、床下、天井裏等における空気の流通を良好にするようにした換気装置に関する。
【０００２】
【従来の技術】
家屋、特に木造家屋において、その寿命を長くするためには、床下、天井裏等における空気の流通を良好にし、低湿気状態に保つことによって、木製構造部材を白蟻による食害、微生物等による腐敗等から保護することが重要である。
【０００３】
床下、天井裏等における空気の流通を良好にするために、従来、基礎、壁等に複数の通気孔を形成し、これら通気孔を介して、床下、天井裏等における湿気を含んだ空気を自然に流出し、外部から乾燥した空気を自然に流入したり、それら通気孔に換気扇を設置し、これら換気扇によって、床下、天井裏等における湿気を含んだ空気を強制的に排出し、外部から乾燥した空気を自然に流入するようにしていた（例えば、特許文献１参照）。
【０００４】
【特許文献１】
特開平１１−１０８４１２号公報
【０００５】
【発明が解決しようとする課題】
しかし、基礎、壁等に複数の通気孔を形成する場合にあっては、床下、天井裏等における湿気を含んだ空気は自然に流出するだけであるから、床下、天井裏等における空気の流通は不十分であった。又、複数の通気孔に換気扇を設置する場合にあっては、通気孔に装着してある格子状体を離脱させた上で、通気孔に換気扇を設置しなければならず、設置工事は面倒であるとともに、設置費用も掛かった。
【０００６】
本発明は、上記問題点に鑑みて為されたものであって、その目的とするところは、設置工事が簡単であり、設置費用も低額でありながら、床下、天井裏等における空気の流通を十分に確保できる換気装置を提供することにある。
【０００７】
【課題を解決するための手段】
上記目的を達成するために、本発明は、少なくとも底面部に空気吸入口を形成するとともに、正面部に空気排出口を形成した筐体と、この筐体内に配設した回転翼体と、この回転翼体を駆動させるモーターと、から成る換気装置本体と、底面板の両側辺部に側面板を立設し、前記換気装置本体をこの側面板に固定できるようにした支持部材と、から換気装置を構成したことを特徴とする。
【０００８】
ここで、前記換気装置本体の筐体に固定する取付部材と、この取付部材に螺着したネジ部を有するハンドルと、から成る固定部材を設けるとともに、前記支持部材の側面板に上下方向に複数の溝部を形成し、前記筐体に前記取付部材を固定し、前記ハンドルのネジ部を前記側面板に形成した複数の溝部の何れかに挿通し、前記ハンドルを締め付けることによって、前記換気装置本体を前記側面板に高さ位置自在に固定できるようにするのが好ましい。
【０００９】
又、前記ハンドルを締め付ける前に、前記換気装置本体を適宜角度回動させることによって、前記換気装置本体を前記側面板に傾斜角度自在に固定できるようにするのが好ましい。
【００１０】
さらに、光センサーと制御装置とを付設して、天候によって自動的に作動するようにすれば、換気装置を作動させることによって、却って湿気を多く含んだ空気を流入させてしまう等、不要な作動を防止できて、より効率的な換気を図ることができる。
【００１１】
【発明の実施の形態】
以下、本発明の換気装置の実施形態について、図面を参照して説明する。
本発明の換気装置１は、図１乃至図４に示すように、換気装置本体２、支持部材３、固定部材４，５から構成される。
【００１２】
換気装置本体２は、図１乃至図４に示すように、背面板、平面板、底面板及び側面板を一体化した被覆体６、側面板７、正面板８、回転翼体９、送風案内部材１０、モーター１１、モーターカバー１２から成る。
尚、被覆体６、側面板７及び正面板８によって、換気装置本体２の筐体を構成するようになっている。
【００１３】
被覆体６は、背面板部６ａの下半部から底面板部６ｃにかけて、格子状とした空気吸入口１３を形成してあり、側面板部６ｄの略中央部には挿通孔１４を穿設してある。
側面板７は、略中央部に挿通孔１５を穿設してあり、その挿通孔１５に軸受１６を固定してある。正面板８は、上半部に格子状とした空気排出口１７を形成してある。
【００１４】
回転翼体９は、図３乃至図５に示すように、幅狭で長尺の若干湾曲した羽根部材１８を、所定径を有する円板部材１９，２０，２１間に、円周方向所定間隔で多数配設した、クロスフローファンの回転翼体を採用したものである。円板部材１９の中央部には支軸部２２を形成してあり、円板部材２１の中央部には嵌合孔２３ａを穿設したボス部２３を形成してある。
送風案内部材１０は、図３及び図４に示すように、上面部１０ａ、折曲された側面部１０ｂ及び下面部１０ｃから成る。
【００１５】
モーター１１は、駆動軸１１ａを有する通常の交流モーターである。モーターカバー１２は、モーター１１からの発熱を放散するために、側面部及び周面部に複数条のスリットを形成してある。
【００１６】
支持部材３は、図１及び図２に示すように、矩形状の底面板２４の両側辺部にｂ字状の側面板２５，２６を溶接等によって接合し、立設したものである。側面板２５，２６の上半部には、上下方向に所定間隔で複数の鉤状溝部２７，２８を形成してある。
尚、側面板２５，２６を補強するため、底面板２４と側面板２５，２６との接合部には略三角形状の補強板２９，２９，３０，３０を固定してある。
【００１７】
固定部材４，５は、図１及び図２に示すように、取付部材３１，３２とハンドル３３とから構成される。
取付部材３１，３２は、板材を折曲してＬ字状の正面部３１ａ，３２ａと側面部３１ｂ，３２ｂとを形成したものであり、正面部３１ａ，３２ａには固定用ネジ孔３４，３４を形成してあり、側面部３１ｂ，３２ｂにはハンドル用ネジ孔３５，３５を形成してある。
ハンドル３３は、把持部３３ａとネジ部３３ｂとから成る。
【００１８】
本発明の換気装置１は、以上のような構成であって、以下のようにして組み立て、使用される。
【００１９】
先ず、図４に示すように、被覆体６の側面板部６ｄにモーター１１を固定するとともに、被覆体６の側面板部６ｄの挿通孔１４にモーター１１の駆動軸１１ａを挿通する。そして、被覆体６内に回転翼体９を位置させ、回転翼体９のボス部２３の嵌合孔２３ａにモーター１１の駆動軸１１ａを嵌合し、止めネジ等によって固定する。又、被覆体６の左側面に側面板７を固定するとともに、側面板７に固定した軸受１６に回転翼体９の支軸部２２を嵌合させる。
【００２０】
次に、図３及び図４に示すように、被覆体６内であって回転翼体９の前方に送風案内部材１０を位置させ、送風案内部材１０を被覆体６の側面板部６ｄ及び側面板７に固定する。そして、被覆体６の正面に正面板８を固定し、被覆体６の側面板部６ｄにモーターカバー１２を固定すれば、換気装置本体２を組み立てることができる。
【００２１】
又、図２に示すように、取付部材３１，３２の側面部３１ｂ，３２ｂのハンドル用ネジ孔３５，３５にハンドル３３のネジ部３３ｂを螺合させた上、取付部材３１，３２の正面部３１ａ，３２ａを正面板８の両側下部に固定用ネジ孔３４，３４によって固定する。
【００２２】
そして、図１に示すように、ハンドル３３，３３のネジ部３３ｂ，３３ｂを支持部材３の側面板２５，２６に形成した複数の鉤状溝部２７，２８の何れかに挿通し、ハンドル３３，３３の把持部３３ａ，３３ａを把持して回転させ、ハンドル３３，３３を側面板２５，２６に締め付ければ、換気装置本体２を支持部材３の適宜位置に固定することができ、換気装置１を組み立てることができる。
【００２３】
次に、本発明の換気装置１の作用、効果について、その使用方法とともに説明する。
【００２４】
換気装置１の電源スイッチをＯＮにし、モーター１１を作動させれば、図３に示すように、回転翼体９が前方に回転するから、湿気を含んだ空気は被覆体６の空気吸入口１３から換気装置本体２内に吸入され、被覆体６の背面板部６ａ、平面板部６ｂ及び送風案内部材１０に案内されて、正面板８の空気排出口９から換気装置本体２外へ排出される。
【００２５】
又、図６（Ａ）に示すように、ハンドル３３，３３のネジ部３３ｂ，３３ｂを側面板２５，２６に形成した最上位の鉤状溝部２７ａ，２８ａに挿通すれば、換気装置本体２を最上位置に設定することができる。一方、例えば、図６（Ｂ）に示すように、ハンドル３３，３３のネジ部３３ｂ，３３ｂを側面板２５，２６に形成した第３位の鉤状溝部２７ｃ，２８ｃに挿通し、しかも、換気装置本体２を約４０°後方に回動させた状態にして、ハンドル３３，３３を側面板２５，２６に締め付ければ、換気装置本体２を適宜高さ位置に設定することができるとともに、適宜角度傾斜させて設定することができる。
【００２６】
本発明の換気装置１を床下において使用する場合には、図７に示すように、基礎５１に形成された通気孔５２の近傍に換気装置１を設置し、上記の如く、換気装置本体２の高さ位置及び傾斜角度を適宜設定して、正面板８の空気排出口１７が通気孔５２に対向するようにする。
【００２７】
このようにすれば、床下に停滞する湿気を含んだ空気は、被覆体６の空気吸入口１３から換気装置本体２内に吸入され、被覆体６の背面板部６ａ、平面板部６ｂ及び送風案内部材１０に案内されて、正面板８の空気排出口１７から換気装置本体２外へ排出され、基礎５１に形成された通気孔５２から強制的に外部へと排出される。一方、通気孔５２から外部の乾燥した空気が自然に流入してくるから、床下の空気の流通は極めて良好である。
【００２８】
又、本発明の換気装置１によれば、通気孔５２に装着してある格子状体５３を離脱させる必要はなく、通気孔５２の近傍に換気装置１を単に設置するだけでよいから、設置工事は極めて簡単であり、設置費用も低額ですむ。
【００２９】
さらに、本発明の換気装置１によれば、換気装置本体２の高さ位置及び傾斜角度を適宜設定することができるから、基礎５１における通気孔５２の位置及び高さに係わらず、換気装置１を設置することができて、床下の空気の流通を十分に確保することができる。
【００３０】
本発明の換気装置１は、図８に示すように、光センサー７１及び制御装置７２を付設して、天候によって自動的に作動するようにしてもよい。
ここで、光センサー７１と制御装置７２とはセンサーコード７３によって、モーター１１と制御装置７２とはモーターコード７４によって接続してある。又、制御装置７２には、コネクタ７５を取着した接続コード７６及びコネクタ７７を取着した接続コード７８を接続してある。
【００３１】
光センサー７１は、図９に示すように、基礎５１に形成された通気孔５２からセンサーコード７３を引き出し、外部に取り出して、例えば、土台５４の外側面にネジ５５等によって固定する。
【００３２】
かかる構成によれば、晴天の日には、光センサー７１が太陽光を検知し、制御装置７２がモーター１１を駆動する指令を出して、換気装置１が作動することによって、床下に停滞する湿気を含んだ空気を通気孔５２から強制的に外部へと排出し、通気孔５２から外部の乾燥した空気が自然に流入してくる。
一方、曇天又は雨天の日には、光センサー７１が太陽光を検知しないので、換気装置１は作動せず、通気孔５２から外部の湿気を多く含んだ空気が自然に流入してくるのを防止する。
【００３３】
このように、本発明の換気装置１に光センサー７１及び制御装置７２を付設すれば、天候によって自動的に作動させるようにでき、換気装置１を作動させることによって、却って床下に湿気を多く含んだ空気を流入させてしまう等、不要な作動を防止できて、より効率的な換気を図ることができる。
【００３４】
又、本発明の換気装置１に、図８に示すように、コネクタ７５を取着した接続コード７６及びコネクタ７７を取着した接続コード７８を設けておけば、複数の換気装置１，１を接続することができ、一つの電源によって複数の換気装置１，１を作動させることができるので、配線工事が極めて簡略化される。
【００３５】
以上においては、本発明の換気装置１を床下に配置する場合について説明してきたが、天井裏等に設置することもでき、その場合には、壁等に形成した通気孔の近傍に換気装置１を設置するようにすればよい。
【図面の簡単な説明】
【図１】本発明の換気装置の斜視図である。
【図２】本発明の換気装置の分解斜視図である。
【図３】本発明の換気装置の縦断面図である。
【図４】換気装置本体の分解斜視図である。
【図５】回転翼体の（Ａ）は図（Ｂ）のＡ−Ａ線断面図、（Ｂ）は正面図、（Ｃ）は図（Ｂ）のＣ−Ｃ線断面図である。
【図６】換気装置本体を支持部材に対して（Ａ）は最上位に設定した状態、（Ｂ）は高さ方向第３位かつ後方に所定角度傾斜させて設定した状態における換気装置の側面図である。
【図７】本発明の換気装置を床下に設置した状態を示す説明図である。
【図８】本発明の換気装置に光センサー及び制御装置を付設した状態を示す説明図である。
【図９】光センサーの設置方法を示す説明図である。
【符号の説明】
１  換気装置
２  換気装置本体
３  支持部材
４，５  固定部材
６  被覆体
６ｃ  底面板部
７  側面板
８  正面板
９  回転翼体
１１  モーター
１３  空気吸入口
１７  空気排出口
２４  底面板
２５，２６  側面板
３１，３２  取付部材
３３  ハンドル
３３ｂ  ネジ部
２７，２８  鉤状溝部
７１  光センサー
７２  制御装置
【図１】
2004360938.tif 000003
【図２】
2004360938.tif 000004
【図３】
2004360938.tif 000005
【図４】
2004360938.tif 000006
【図５】
2004360938.tif 000007
【図６】
2004360938.tif 000008
【図７】
2004360938.tif 000009
【図８】
2004360938.tif 000010
【図９】
2004360938.tif 000011